(57)【要約】      （修正有）【課題】携帯機の保有者や同乗者によるジェスチャの誤検出を防止し、車両の消費電力を抑制し、ジェスチャエントリ機能の利便性を向上させる携帯機等を提供する。【解決手段】車両１に対する操作を受け付ける操作部２１と、操作部２１の操作に基づき、車両１の開閉体２の開閉を制御する制御装置１０へ機能有効化信号を送信する携帯機送信部２２と、情報を表示する表示部２４と、を備え、表示部２４は、送信部２２が機能有効化信号を送信した後の所定時間の残り時間を表示する携帯機２０と、開閉体２等に設けられ使用者の動作を検出するセンサ３が機能有効化信号を受信した後所定時間内に検出した動作に基づいて、開閉体２の開動作を制御する制御装置１０とにより構成した。【選択図】図１
2015175090.tif 000002
【特許請求の範囲】
【請求項１】
車両に対する操作を受け付ける操作部と、
前記操作部の操作に基づき、前記車両の開閉体の開閉を制御する制御装置へ機能有効化信号を送信する送信部と、
情報を表示する表示部と、
を備え、
前記表示部は、前記送信部が前記機能有効化信号を送信した後の所定時間の残り時間を表示し、
前記制御装置は、前記開閉体にまたは前記開閉体周辺に設けられ使用者の動作を検出するセンサが前記機能有効化信号を受信した後前記所定時間内に検出した動作に基づいて、前記開閉体の開動作を制御する、 
携帯機。
【請求項２】
前記携帯機は、前記機能有効化信号により機能が有効化されたことを通知する機能有効化通知信号を前記制御装置から受信する受信部をさらに有し、
前記表示部は、前記機能有効化通知信号を受信した後に前記残り時間を表示する、
請求項１に記載の携帯機。
【請求項３】
前記表示部は、前記機能有効化信号を送信した後、所定時間以内に前記機能有効化通知信号を受信しない場合、機能の有効化がされていないことを示す表示を行う、
請求項２に記載の携帯機。
【請求項４】
前記携帯機は、前記機能有効化信号を送信する第１携帯機と、前記残り時間を表示する表示部を有する第２携帯機の複数の携帯機から構成されることを特徴とする請求項１乃至３のいずれかに記載の携帯機。
【請求項５】
前記所定時間は可変であることを特徴とする請求項１乃至４のいずれかに記載の携帯機。
【請求項６】
車両の開閉体と、
前記開閉体の開閉を制御する制御装置と、
操作に基づき前記制御装置へ機能有効化信号を送信する携帯機と、
前記開閉体にまたは前記開閉体周辺に設けられ、使用者の動作を検出するセンサと、
を備える開閉体制御システムであって、
前記携帯機は、前記機能有効化信号を送信した後所定時間の残り時間を表示し、
前記制御装置は、前記機能有効化信号を受信した後前記所定時間内に前記センサが検出した動作に基づいて前記開閉体の開動作を制御する、
開閉体制御システム。
【請求項７】
前記制御装置は、前記開閉体が施錠状態において開動作を制御する場合には解錠後開動作することを特徴とする請求項６に記載の開閉体制御システム。
【発明の詳細な説明】
【技術分野】
【０００１】
本発明は、車両を操作する携帯機および携帯機と車載の制御装置から構成される制御システムに関し、特に車両のドアなどの開閉体を制御する携帯機および制御システムに関する。
【背景技術】
【０００２】
従来から、車両の制御装置と車両を施解錠する携帯機との間で行われる無線通信や、使用者の動作（ジェスチャ）を検出して解錠を制御する制御システム等が知られている。例えば、特許文献１は、車載機器の不所望の作動が防止され、電力消費が抑制される車載機器の自動制御システムを開示している。この自動制御システムは、利用者が携帯可能な携帯機と、車両に搭載され、携帯機と通信可能な車載ユニットと、車載ユニットと携帯機との間の通信結果に基づいて、車両に搭載された車載機器の動作を制御する制御部とを備える。携帯機は、利用者が車両から離れているときに、車載ユニットにドアの解錠又は施錠を命令するためのボタンを備え、そのボタンが押下されると、識別番号を含む命令信号を発信し、車載ユニットが命令信号を受信する。そして、車載機制御部は、命令信号に含まれる識別番号の認証に成功すると、施解錠命令の実行を許容する。
【０００３】
また、特許文献２は、洗車時等で車両用ドアの解錠が不要であるときにアンロックセンサへの人体の接触もしくは近接によっても車両用ドアが不所望に解錠されてしまうことを回避することを目的として、電動式ドア解錠装置を開示している。この電動式ドア解錠装置は、車両ユーザによる操作によって選択信号を出力する選択手段からの選択信号入力時に、アンロックセンサによる解錠意志検出を無効としつつ車両ユーザによる押圧操作に応じて車両ユーザの解錠意志を検出する押しボタンスイッチによる解錠意志検出に応じて、電動解錠動力発生手段を作動せしめる。
【０００４】
また、特許文献３は、動作が確実で、使い勝手のよい自動車用電動開閉ドア装置を開示している。この自動車用電動開閉ドア装置は、使用者が未認証状態である間は接触検出手段の検出信号があってもドアの電動開閉を行わないが、常時使用者認証を行うようスタンバイしているので、使用者が認証可能なエリア内に接近すると使用者認証が完了し、ドアを操作できる。
【０００５】
また、特許文献４は、コストの増加を抑えながらも、ユーザにとっての快適性を向上させることを可能にする車両ドア自動開閉装置を開示している。この車両ドア自動開閉装置は、スイングドアの開閉軌跡上に存在する障害物を検出するレーザレーダで障害物の検出を逐次行うことによって、探査波の走査範囲内でのユーザの所定のジェスチャを検出し、ジェスチャの検出結果をもとに、当該スイングドアやそれ以外の車両ドアの自動での開閉動作を開始させる。
【０００６】
また、同様に、特許文献５は、自動車の開閉パネルの自動的ロック解錠装置を開示している。このロック解錠装置は、身体の一部の所定の動き（ジェスチャ）を離れた場所から光学的に認識して、動きが行なわれた箇所の前面の開閉可能なパネルを、動きが登録者の動きであると認識される場合に、ロック及び／又はロック解除する。また、携帯型識別部材が自動車の周りの所定の周囲領域内に位置するときに動きを認識する。
【０００７】
また、特許文献６は、既存のシステムを利用してコストを抑えつつ、誤検出することなく後部開閉体の開動作を制御することが可能な後部開閉体の開閉制御システムを開示している。この開閉制御システムは、後部開閉体の閉状態でカメラによって視認可能な位置に被検知体が配置されており、携帯機から送信される信号を受信した際にカメラを制御し、カメラによって撮像された被検知体の位置の画像に基づいて後部開閉体の開動作を実行するかを判定し、開動作を制御する。
【先行技術文献】
【特許文献】
【０００８】
【特許文献１】特開２０１１−２２６２２２号公報
【特許文献２】特開２０１０−２１６１８２号公報
【特許文献３】特開２００９−０３０２５６号公報
【特許文献４】特開２０１３−００７１７１号公報
【特許文献５】特表２０１２−５０４７１６号公報
【特許文献６】特開２０１３−１１７１３４号公報
【発明の概要】
【発明が解決しようとする課題】
【０００９】
そこで、本発明では、携帯機の保有者や同乗者が、ジェスチャ検出の誤検出を防止し、車両の消費電力を抑制するため、人の身振りや手振りなどの動作を検出して車両のドアの開閉等を実行する機能（ジェスチャエントリ機能）を有効化してから所定の時間だけ当該機能を利用できるようにすると共に、ジェスチャエントリ機能が利用できる所定時間の残り時間を表示することで、ジェスチャエントリ機能の利便性を向上させる携帯機等を提供する。
【課題を解決するための手段】
【００１０】
上記課題を解決するために、車両に対する操作を受け付ける操作部と、その操作部の操作に基づき、車両の開閉体の開閉を制御する制御装置へ機能有効化信号を送信する送信部と、情報を表示する表示部と、を備え、その表示部は、送信部が機能有効化信号を送信した後の所定時間の残り時間を表示し、制御装置は、開閉体にまたは開閉体周辺に設けられ使用者の動作を検出するセンサが機能有効化信号を受信した後所定時間内に検出した動作に基づいて、開閉体の開動作を制御する、携帯機が提供される。
これによれば、携帯機の保有者が、自らの意思で所定の時間だけジェスチャエントリ機能を有効化できるので、機能が無効な時の動作の誤検出を防止し、車両の消費電力を抑制することができる。また、携帯機にジェスチャエントリ機能が利用できる所定時間の残り時間を表示することで、保有者はジェスチャエントリ機能が有効かどうかを容易に把握することが可能となると共に、保有者や所望の同乗者は動作をその所定時間内に確実に行うことが可能となり、ジェスチャエントリ機能の利便性を向上させた携帯機を提供することができる。
【００１１】
さらに、携帯機は、機能有効化信号により機能が有効化されたことを通知する機能有効化通知信号を制御装置から受信する受信部をさらに有し、表示部は、機能有効化通知信号を受信した後に残り時間を表示することを特徴としてもよい。
これによれば、携帯機が機能有効化信号を送信しても、車両側がその機能有効化信号を受け付けていない場合も考えられるため、かかる場合に残り時間を表示して使用者に受け付けたとの誤解を与えることを回避することができる。
【００１２】
さらに、表示部は、機能有効化信号を送信した後、所定時間以内に機能有効化通知信号を受信しない場合、機能の有効化がされていないことを示す表示を行うことを特徴としてもよい。
これによれば、携帯機が機能有効化信号を送信して、車両側がその機能有効化信号を受け付けていない場合、その旨を表示することで、使用者に車両側が機能有効化信号を受け付けていないことを通知することができる。
【００１３】
さらに、携帯機は、機能有効化信号を送信する第１携帯機と、残り時間を表示する表示部を有する第２携帯機の複数の携帯機から構成されることを特徴としてもよい。
これによれば、表示機能が豊富な第２携帯機に残り時間を表示することでより表現力に富んだ提示が可能となる。
【００１４】
さらに、所定時間は可変であることを特徴としてもよい。
これによれば、状況に応じて様々な所定時間を設定できるので、利便性がさらに向上する。
【００１５】
上記課題を解決するために、車両の開閉体と、その開閉体の開閉を制御する制御装置と、操作に基づきその制御装置へ機能有効化信号を送信する携帯機と、開閉体にまたは開閉体周辺に設けられ、使用者の動作を検出するセンサと、を備える開閉体制御システムであって、携帯機は、機能有効化信号を送信した後所定時間の残り時間を表示し、制御装置は、機能有効化信号を受信した後所定時間内にセンサが検出した動作に基づいて開閉体の開動作を制御する、開閉体制御システムが提供される。
これによれば、携帯機の保有者が、自らの意思で所定の時間だけジェスチャエントリ機能を有効化できるので、機能が無効な時の動作の誤検出を防止し、車両の消費電力を抑制することができる。また、携帯機にジェスチャエントリ機能が利用できる所定時間の残り時間を表示することで、保有者はジェスチャエントリ機能が有効かどうかを容易に把握することが可能となると共に、保有者や所望の同乗者は動作をその所定時間内に確実に行うことが可能となり、ジェスチャエントリ機能の利便性を向上させた制御システムを提供することができる。
【００１６】
さらに、制御装置は、開閉体が施錠状態において開動作を制御する場合には解錠後開動作することを特徴としてもよい。
これによれば、開閉体が施錠状態であっても１つの操作で開閉体を開動作させることができ、利便性を向上させる。
【発明の効果】
【００１７】
以上説明したように、本発明によれば、携帯機の保有者や同乗者が、ジェスチャ検出の誤検出を防止し、車両の消費電力を抑制するため、人の身振りや手振りなどの動作を検出して車両のドアの開閉等を実行する機能（ジェスチャエントリ機能）を有効化してから所定の時間だけ当該機能を利用できるようにすると共に、ジェスチャエントリ機能が利用できる所定時間の残り時間を表示することで、ジェスチャエントリ機能の利便性を向上させる携帯機等を提供できる。
【図面の簡単な説明】
【００１８】
【図１】本発明に係る第一実施例の開閉体制御システムを示すブロック図。
【図２】本発明に係る第一実施例の開閉体制御装置の制御ステップを示すフローチャートと携帯機の正面図。
【図３】本発明に係る第一実施例の携帯機における表示ステップを示すフローチャート。
【図４】本発明に係る第一実施例の携帯機における表示方法を説明する説明図。
【図５】本発明に係る第一実施例の携帯機（変形例）における表示方法を説明する説明図。
【図６】本発明に係る第一実施例の携帯機における所定時間の設定ステップを示すフローチャート。
【図７】本発明に係る第二実施例の開閉体制御システムを示すブロック図。
【図８】本発明に係る第二実施例の携帯機における、（Ａ）ジェスチャエントリ時間の設定画面、（Ｂ）ジェスチャエントリの残り時間の表示画面を説明する説明図。
【発明を実施するための形態】
【００１９】
以下では、図面を参照しながら、本発明に係る各実施例について説明する。
＜第一実施例＞
まず、本実施例の具体的な利用場面を説明する。例えば、運転者が、運転者より先に同乗者を車両に乗せたい場合に、従来は同乗者に携帯機を渡したり、同乗者が乗車するタイミングに合わせて運転者が携帯機を操作するなどの手間がかかっていた。特に、運転者が荷物を持っている場合では、携帯機を取り出すために荷物を置くなどの手間が大きかった。本実施例では、事前に携帯機を操作してジェスチャエントリ機能を有効にしておけば、同乗者に携帯機を渡しておく必要もないし、同乗者が乗るタイミングに合わせて携帯機を操作する必要がなくなる。
【００２０】
また、使用者が車両を降りてショッピングセンタなどで買い物に行った後、荷物を持って車両へ向かう場合を想定する。ショッピングセンタの入り口などで荷物を置いた状態で、携帯機操作でジェスチャエントリ機能を有効にしておけば、車両に到着した時点で動作（ジェスチャ）を行うことによりスライドドアやトランクなどの開閉体を開くことができ、荷物を置いてドアハンドルを操作したりする必要がない。特に雨が降っているときには、開閉体をスムーズに開くことができるため便利である。
図１乃至図３を参照し、本実施例における開閉体制御システム１００を説明する。開閉体制御システム１００は、車両１に設けられた開閉体２と、使用者の動作を検出するセンサ３と、開閉体２の開閉を制御する制御装置１０とを含む。さらに、車両１の使用者が携帯し、車両１の使用者からの操作を受け付け、制御装置１０と無線通信を行う携帯機２０を含む。
【００２１】
開閉体２は、人が乗り降りする車両１のドア（スライドドアを含む）だけでなく、窓や荷物を出し入れする後部ドアやトランクなどであってもよい。センサ３は、ジェスチャ検出範囲内で人の身振りや手振りなどの動作（ジェスチャ）を検出できるものであればよく、例えば、ＣＣＤカメラのような光学系の撮像センサや、ビームを走査して対象を捉えるレーザレーダ、その他赤外線センサや近接センサのようなものであってもよい。センサ３は、開閉体２やその周辺に設けられ、車両１の側方や後方に存する人の動作を検出する。
【００２２】
ジェスチャ検出範囲は、狭すぎると使用者の動作を検出できないし、広すぎると誤検出や防犯上問題が生ずるので、適宜最適な範囲が事前に設定される。また、検出する所定の動作を規定して、その所定の動作を検出した場合に、所定の動作を起こすようにしてもよい。ここで、車両での所定の動作とは例えば、開閉体やドアの開錠動作である。そうすると、使用者の両手が荷物等でふさがっている場合でも、センサ３によって使用者の足などの動作を検出することによって車両１のドアやトランクなどの開閉体２を手を使わずに開けることができる。
【００２３】
制御装置１０は、携帯機２０からの無線信号を受信する受信部１１と、携帯機２０へ無線信号を送信する送信部１２と、車両１の開閉体２の開閉を制御する開閉体制御部１３と、携帯機２０との送受信、開閉体制御部１３およびセンサ３を制御する制御部１４を有する。受信部１１は、後述する車両１を操作する携帯機２０から送信される機能有効化信号を受信する。また、携帯機２０は、車両１の送信部１２から信号を受信する携帯機受信部２３と、車両１の受信部１１へ機能有効化信号等を送信する携帯機送信部２２と、使用者の操作を受け付ける操作部２１と、情報を表示する表示部２４とを備える。
【００２４】
携帯機２０は、使用者から操作部２１への操作を受け付けると、携帯機送信部２２から車両１のセンサ３を起動しジェスチャ検出機能を有効化する機能有効化信号を送信する。携帯機２０の操作部２１は、押しボタンなどのスイッチで、使用者の操作を受け付けるものであればよく、特にその種類や数は限定されない。例えば、後述するようにセンサ３を有効化するための専用のスイッチであってもよいし、１つのスイッチを複数の他の機能のために共用化したものでも良い。
【００２５】
操作部２１が有効化のための専用のスイッチである場合、その携帯機は、機能有効化信号を送信するための有効化操作部を備える。これによれば、携帯機からの機能有効化信号の送信は使用者による操作が条件となるので、使用者の意思の確認の下で実行でき、不所望の開動作を防止できる。また、その有効化操作部が他の機能のために共用化したものである場合は、他の信号を送信するための操作部と共通の操作部となる。これによれば、例えば、解錠するための操作部や、エンジンを遠隔始動させるための操作部と共通な操作部を設けることで、使いやすい携帯機を提供することができる。
【００２６】
また、操作部２１は、後述する車両１側の制御装置１０と携帯機２０自身が計時する、ジェスチャ検出機能が有効な時間となる所定時間を設定する機能を有する。操作部２１は、所定時間設定のための専用のスイッチを備えてもよいし、機能有効化信号を送信する操作部と共用してもよい。例えば、１つの操作部２１への操作回数の違いで所定時間設定と同時に所定時間を車両１側へ送信してもよいし、１つの操作部２１を短押しの場合は機能有効化信号を送信し、長押しの場合は所定時間を設定できる状態になるようにしてもよい。このように、使用者によりジェスチャ検出機能を有効とする所定時間を変えられるようにすることで、状況に応じて様々な所定時間を設定できるので、利便性がさらに向上する。
【００２７】
表示部２４は、携帯機送信部２２が機能有効化信号を送信した後の所定時間の残り時間を表示する。例えば、使用者が、ジェスチャ検出機能が有効な所定時間を３０秒と設定した場合、携帯機２０は、その所定時間の設定情報を携帯機送信部２２から車両１の制御装置１０へ送信すると共に、その所定時間の設定情報を携帯機２０の記憶部（図示せず）で記憶してもよい。そして、携帯機２０は、使用者が操作部２１を操作して機能有効化信号を送信した以降、３０秒から経過時間を減算した値を表示部２４に表示する。使用者や同乗者は、車両１から離れた場所でセンサ３を有効化した後、表示部２４に表示されたジェスチャエントリが可能な残り時間を知ることで、それに間に合うようにジェスチャ検出範囲内に到達して動作を行うことができるようになる。
【００２８】
車両１側の制御部１４は、携帯機２０との送受信、開閉体制御部１３およびセンサ３を制御すると共に、受信部１１が機能有効化信号を受信した時から所定時間を計時し、その所定時間を経過したか否かを判定する判定部１５を備える。受信部１１は、携帯機２０から機能有効化信号や所定時間の設定情報を受信すると制御部１４へその旨伝達する。制御部１４は、受信部１１から所定時間の設定情報の伝達を受けると記憶部（図示せず）にその設定情報を記憶し、判定部１５はその設定情報に基づいて計時する。また、制御部１４は、受信部１１から機能有効化信号の伝達を受けるとセンサ３を起動し、センサ３がジェスチャ検出を可能な状態にする。センサ３がジェスチャ検出できる状態になった後、判定部１５が所定時間経過したと判定し、センサ３が停止するまでの間のみ、センサ３は動作を検出できる。従って、携帯機２０や判定部１５が計時する所定時間は、実質的にセンサ３が動作を検出する時間を規定するものであり、短すぎると使用者の動作を検出できないし、長すぎると誤検出や防犯上問題が生ずるので、適宜最適な時間が設定される。
【００２９】
開閉体制御部１３は、受信部１１が機能有効化信号を受信した後、即ちセンサ３が起動した後で、判定部１５が所定時間を経過したと判定する前にセンサ３が検出した動作に基づいて、開閉体２の開動作を制御する。即ち、開閉体制御部１３は、機能有効化信号を受信した後所定時間内にセンサ３が検出した動作に基づいて開閉体２の開動作を制御する。このように、動作の検出を所定の時間内に限定することで不要な動作による誤検出を防止することができる。また、携帯機２０を使用して車両１から離れた場所からもジェスチャ検出機能を有効化できるので、所望の同乗者の乗り込み時に動作の検出を有効化できる。また、常時センサ３が動作の検出を行う必要がないため、車両側の節電になる。
【００３０】
また、開閉体制御部１３は、使用者の動作を検出したセンサ３が設けられた開閉体２、またはその周辺の開閉体２のみを開動作させるように制御してもよい。このように、開動作する開閉体を限定することで、高い安全性を有することができる。センサ３は、開閉体２ごとに設けられたり、車両１の両側面と後側に１つずつ設けられたりする。センサ３が開閉体２ごとに設けられた場合は、開閉体制御部１３は、動作を検出したセンサ３が設けられた開閉体２のみを開動作させてもよい。また、センサ３が両側面に１つずつ設けられた場合は、開閉体制御部１３は、動作を検出したセンサ３が設けられた側の開閉体２のみを開動作させてもよい。また、制御装置１０の開閉体制御部１３は、開閉体２が施錠状態において開動作を制御する場合には解錠後開動作することが好ましい。これによれば、開閉体２が施錠状態であっても１つの操作で開閉体２を開動作させることができ、利便性を向上させる。
【００３１】
また、制御部１４は、携帯機２０の認証を行う認証部１６をさらに備え、認証部１６は、センサ３が動作を検出したときに、携帯機２０の認証を行うことが好ましい。この場合、携帯機２０は、車両１の送信部１２から認証要求信号を受信する携帯機受信部２３を備える。認証部１６は、携帯機２０から機能有効化信号を受信した際にも携帯機２０の認証を行い、認証が成功した場合のみセンサ３を起動させる。制御部１４は、センサ３が動作を検出したときそのまま開閉体２を開動作させてもよいが、機能有効化信号を受信した時からセンサ３が動作を検出するまでの間にある程度の時間差があるので、センサ３が動作を検出したときに改めて携帯機２０の認証を行うことが好ましい。認証部１６は、他のタイミングで携帯機２０の認証を行ってもよいことは言うまでもない。
【００３２】
制御部１４がセンサ３が動作を検出したことを認識すると、制御装置１０の送信部１２は、制御部１４の制御に従い、携帯機２０へ認証を要求する認証要求信号を送信する。そして、携帯機受信部２３が認証要求信号を受信すると、携帯機送信部２２は、予め設定された携帯機２０の認証コードを含む認証応答信号を車両１の受信部１１へ返信する。受信部１１は、受信した認証コードを認証部１６に伝達する。認証部１６は、受けた取った認証コードが正規のものであるか否かを判定し、正規のものであった場合に、制御部１４は、開閉体制御部１３に対して開動作するように指示を出す。このようにすれば、開動作の条件となる動作の検出に対して認証を行うことができるので高い防犯性を有することができる。
【００３３】
図２を参照し、制御装置１０の制御方法を説明する。なお、フローチャートにおけるＳは、ステップを意味する。本実施例の携帯機２０は、図示するように、操作部２１として、動作の検出機能を有効化するためのジェスチャエントリ許可スイッチを備える。
【００３４】
使用者は、Ｓ１００において、携帯機２０のジェスチャエントリ許可スイッチを操作する。車両１側の制御装置１０の受信部１１は、Ｓ１０２において、機能有効化信号を受信するか否かを確認する。携帯機２０は、ジェスチャエントリ許可スイッチの操作部２１を操作されると携帯機送信部２２から機能有効化信号を送信する。
【００３５】
受信部１１がその機能有効化信号を受信した場合、制御部１４は、Ｓ１０４において、センサ３を起動して、センサ３が動作を検出できる状態にする。制御部１４がセンサ３を起動すると同時に、判定部１５は、Ｓ１０６において、受信部１１が機能有効化信号を受信した時にセンサ３が動作を検出できるための所定時間を設定する。判定部１５は、Ｓ１１８において、受信部１１が機能有効化信号を受信した時からその所定時間を計時し、その所定時間を経過したか否かを判定する。なお、受信部１１がＳ１０２において機能有効化信号を受信しない場合は、何も行わずに処理を終了する。
【００３６】
その所定時間の間、制御部１４は、Ｓ１０８において、センサ３が動作を検出するか否かを確認し続ける。センサ３が動作を検出した場合、送信部１２は、Ｓ１１０において、携帯機２０に認証要求信号を送信する。認証要求信号を受信した携帯機２０は、設定された認証コードを含む認証応答信号を返信するので、認証部１６は、Ｓ１１２において、返信された認証コードが正規の認証コードであるか否か、即ち携帯機２０の認証が成功するか否かを確認する。
【００３７】
制御部１４は、認証部１６が返信された認証コードを正規なものでないとした場合は、Ｓ１１８からＳ１０８へ戻り、再度所定時間経過までセンサ３が動作を検出するか否かを確認し続ける。認証コードが正規であり認証が成功した場合、開閉体制御部１３は、Ｓ１１４において、開閉体２を開動作させる。そして、開閉体２を開動作させた場合、制御部１４は、Ｓ１１６において、誤動作を防止するためセンサ３を停止する。また、所定時間内にセンサ３が動作を検出せず、所定時間が満了した場合も、同様に、センサ３を停止する。なお、この場合、制御部１４がセンサ３での検出機能自体を停止させてもよいし、センサ３は検出を行うが制御部１４がセンサ３からの検出結果を無視することでもよい。また、この場合、車両側の節電につながるので、センサ３への通電を停止することが好ましい。
【００３８】
図３を参照し、携帯機２０の表示部２４における表示方法を説明する。使用者は、Ｓ２００において、携帯機２０の操作部２１であるジェスチャエントリ許可スイッチを操作すると、携帯機２０は、携帯機送信部２２から機能有効化信号を送信する。そうすると、携帯機２０は、Ｓ２０２において、設定された所定時間が経過したか否かを確認する。まだ所定時間が経過していない場合、携帯機２０の表示部２４は、Ｓ２０６において、設定された所定時間から、携帯機送信部２２が機能有効化信号を送信した後の経過時間を減算した残り時間を表示する。そして、表示部２４は、残り時間が０になるまで表示をし続けて、残り時間が０になった時に、Ｓ２０４において表示を終了する。
【００３９】
なお、車両１で、センサ３が動作を検出し（図２のＳ１０８でＹＥＳ）、携帯機２０の認証が成功した場合（図２のＳ１１２でＹＥＳの場合）、すなわち、Ｓ１１４で開閉体２を開動作させた場合にも、表示部２４は残り時間の表示を終了するようにしても良い。これにより、使用者は、開閉体２が開動作したことを認識することができる。
【００４０】
また、携帯機２０は、自ら送信した機能有効化信号により、車両１においてセンサ３を起動しジェスチャ検出機能が有効化されたことを通知する機能有効化通知信号を制御装置１０から受信する携帯機受信部２３を備え、表示部２４は、その機能有効化通知信号を受信した後に残り時間を表示するようにしてもよい。こうすることで、携帯機２０が機能有効化信号を送信しても、車両１側がその機能有効化信号を受け付けていない場合も考えられるため、かかる場合に残り時間を表示して使用者に受け付けたとの誤解を与えることを回避することができる。
【００４１】
また、表示部２４は、携帯機２０が機能有効化信号を送信した後、所定時間以内に機能有効化通知信号を受信しない場合、車両１において機能の有効化がされていないことを示す表示を行うようにしてもよい。これによれば、携帯機２０が機能有効化信号を送信して、車両１側がその機能有効化信号を受け付けていない場合、その旨を表示することで、使用者に車両１側が機能有効化信号を受け付けていないことを通知することができる。なお、残り時間が０でない最中、即ちジェスチャエントリが可能な時には、センサ３が有効である旨を示す表示を車両側において行ってもよい。
【００４２】
このように、携帯機の保有者が、自らの意思で所定の時間だけジェスチャエントリ機能を有効化できるので、機能が無効な時の動作の誤検出を防止し、車両の消費電力を抑制することができる。また、携帯機にジェスチャエントリ機能が利用できる所定時間の残り時間を表示することで、保有者はジェスチャエントリ機能が有効かどうかを容易に把握することが可能となると共に、保有者や所望の同乗者は動作をその所定時間内に確実に行うことが可能となり、ジェスチャエントリ機能の利便性を向上させることができる。
【００４３】
ここで、携帯機２０における残り時間の表示の仕方の一例について説明する。図４は、３つのＬＥＤからなる表示部を有する携帯機２０を示す。本図の携帯機２０は、３つのＬＥＤが全部点灯している場合（Ｃ）には、残り時間が２０秒以上３０秒未満であることを示し、最左と中央の２つのＬＥＤが点灯している場合（Ｂ）には、残り時間が１０秒以上２０秒未満であることを示す。また、携帯機２０は、最左の１つのＬＥＤが点灯することで（Ａ）、残り時間が１０秒未満であることを示し、例えば残り５秒以下の時には、このＬＥＤが点滅することでその旨を表示してもよい。携帯機２０は、これらのＬＥＤが点灯や点滅する個数やパターンを変化させることで、残り時間を表示する。
【００４４】
なお、上記の表示の仕方は一例であり、図５に示す携帯機２０’ように、７セグメント表示などを利用して残り時間を数字で表示してもよい。かかる数字で表示し、一秒ごとにカウントダウンすれば、よりきめの細かい残り時間を表示できる。
【００４５】
図５と図６を参照して、使用者による、センサ３が有効化されている所定時間の設定の仕方について説明する。使用者が操作部２１であるジェスチャエントリ許可スイッチ（Ｇｅｓｔｕｒｅ）を１回操作すると、携帯機２０は、所定時間を１０秒に（Ａ）、２回操作すると所定時間を２０秒に（Ｂ）、３回操作すると所定時間を３０秒に（Ｃ）設定し、それと同時に機能有効化信号を送信する。なお、使用者がジェスチャエントリ許可スイッチを長押しするなどして設定モードになった後、上記設定を行ってもよい。
【００４６】
図６では、携帯機２０’での処理を表しており、Ｓ３００において、使用者が携帯機２０’のジェスチャエントリ許可スイッチを操作した際に処理が開始される。携帯機２０’は、Ｓ３０２において、一旦所定時間を１０秒として表示部にも１０秒を表示する。操作部は、Ｓ３０４において、使用者が５００ミリ秒以内に再度ジェスチャエントリ許可スイッチを操作するか否かを確認する。操作がなかった場合、携帯機２０’は、Ｓ３１２において、所定時間を１０秒と設定し、その所定時間と機能有効化信号を車両１側へ送信する。
【００４７】
操作があった場合、携帯機２０’は、Ｓ３０６において、合計で２回の操作があったので、一旦所定時間を２０秒として表示部にも２０秒を表示する。操作部は、Ｓ３０８において、使用者が５００ミリ秒以内に再度ジェスチャエントリ許可スイッチを操作するか否かを確認する。操作がなかった場合、携帯機２０’は、Ｓ３１２において、所定時間を２０秒と設定し、その所定時間と機能有効化信号を車両１側へ送信する。
【００４８】
操作があった場合、携帯機２０’は、Ｓ３１０において、合計で３回の操作があったので、所定時間を３０秒として表示部にも３０秒を表示する。携帯機２０’は、Ｓ３１２において、その所定時間と機能有効化信号を車両１側へ送信する。このように、所定時間が可変であることで、状況に応じて様々な所定時間を設定でき、利便性がさらに向上する。なお、本実施例では、所定時間が１０秒、２０秒、３０秒のみであるが、この時間の長さは使用者が同様の操作により自由な長さに設定できることが好ましい。これにより、さらに利便性が向上する。
【００４９】
＜第二実施例＞
図７を参照して、本実施例における携帯機を説明する。なお、重複記載を避けるために、上記実施例と異なる点を中心に説明する。本実施例における携帯機は、第１携帯機２０Ａと第２携帯機３０Ａの２台から構成される。第１携帯機２０Ａは、上記実施例における携帯機同様、車両１Ａの制御装置１０Ａと無線通信を行い、機能有効化信号を送信する。第１携帯機２０Ａは、表示部を備えていてもいなくてもよい。
【００５０】
第１携帯機２０Ａは、第２携帯機３０Ａとも無線通信を行う。無線通信の方法は特に限定されないが、比較的近距離での無線通信がなされることからＢｌｕｅｔｏｏｔｈ（登録商標）やＮＦＣ（Ｎｅａｒ  Ｆｉｅｌｄ  Ｃｏｍｍｕｎｉｃａｔｉｏｎ）などが用いられてもよい。第２携帯機３０Ａは、第１携帯機２０Ａと無線通信できる機能を有すると共に、操作部３１Ａと表示部３２Ａを備える。第２携帯機３０Ａは、典型的にはスマートフォンであり、操作部３１Ａと表示部３２Ａは、可変表示可能で接触操作可能な液晶パネルを通してアプリケーションにより実現される。
【００５１】
使用者が第２携帯機３０Ａの操作部３１Ａを操作して機能有効化信号を送信する場合、第２携帯機３０Ａは、操作部３１Ａが操作されると無線通信により第１携帯機２０Ａへ機能有効化信号を送信する操作が行われた旨が伝達される。その伝達を受けた第１携帯機２０Ａは、実際に車両１Ａに対して機能有効化信号を送信する。また、第２携帯機３０Ａは、操作部３１Ａが操作されると、設定された所定時間の残り時間が表示部３２Ａに表示する。表示機能が豊富なスマートフォン（第２携帯機）に残り時間を表示することでより表現力に富んだ提示が可能となる。また、操作部３１Ａの機能も、スマートフォン上のアプリケーションにより操作性に優れた操作を実現することができる。
【００５２】
図８（Ａ）を参照して、スマートフォンの第２携帯機３０Ａにおける、ジェスチャエントリ機能の有効時間を設定する方法を説明する。本図が示すように、スマートフォンの第２携帯機３０Ａを用いると、ジェスチャエントリ機能の有効時間を設定する場合、使用者がより設定しやすい表示が可能となる。表示部３２Ａには、ジェスチャエントリ機能の有効時間が３０秒である旨が文字により表示されると共に、有効時間を１分延長するためのボタン、１０秒延長するためのボタン、およびリセットボタンが表示される。これらのボタンは、指で触れることにより操作できる機能性ボタンである。使用者は、これらのボタンを操作することにより、３０秒という標準設定時間を延長することができる。なお、１０秒短縮するためのボタンがあれば、有効時間の短縮も可能となることは言うまでもない。
【００５３】
図８（Ｂ）は、ジェスチャエントリの残り時間の表示画面を示す。この表示画面は、残り時間が１５秒であることを示すと共に、その時間を１０秒延長するためのボタンおよび強制終了させるボタンを表示している。使用者は、ジェスチャエントリ機能が有効化された後残り時間が何秒かという時に、その時間を延長させたり、有効化している時間が残っている状態で機能を即時に強制的に終了させたりしたい場合がある。このような場合に、使用者が、１０秒延長ボタンを操作すれば残り時間が１０秒延長できるし、強制終了ボタンを操作すればジェスチャエントリ機能は即時に終了させることができる。
【００５４】
また、第１携帯機２０Ａの操作部２１Ａを操作して機能有効化信号を送信した場合にも、第２携帯機３０Ａの表示部３２Ａに残り時間を表示させることは可能である。この場合、第１携帯機２０Ａから車両に機能有効化信号を送信した際に、第１携帯機２０Ａから第２携帯機３０Ａへも機能有効化信号を送信した旨を連絡し、その情報を受けた第２携帯機３０Ａが自動で表示部３２Ａに残り時間を表示するようにしても良い。または、使用者が第２携帯機３０Ａの操作部３１Ａで残り時間を表示するように操作した場合に、第２携帯機３０Ａから第１携帯機２０Ａに対して残り時間の情報を要求し、得た情報を表示するようにしても良い。
【００５５】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、数量、その他の詳細な構成において、当業者が様々な変形を加えることができるものである。
【符号の説明】
【００５６】
１００  開閉体制御システム
１      車両
２      開閉体
３      センサ
１０    制御装置
１１    受信部
１２    送信部
１３    開閉体制御部
１４    制御部
１５    判定部
１６    認証部
２０    携帯機  （第１携帯機）
２１    操作部
２２    携帯機送信部
２３    携帯機受信部
２４    表示部
３０Ａ  スマートフォン  （第２携帯機）
【図１】
2015175090.tif 000003
【図２】
2015175090.tif 000004
【図３】
2015175090.tif 000005
【図４】
2015175090.tif 000006
【図５】
2015175090.tif 000007
【図６】
2015175090.tif 000008
【図７】
2015175090.tif 000009
【図８】
2015175090.tif 000010